(57)【要約】【課題】本発明は、表示部筐体の遠隔駆動制御機能をもつことで、機能の拡充並びに使い勝手の向上を図ることができる情報処理装置および同装置の遠隔操作方法を提供することを課題とする。【解決手段】エンベデッドコントローラ／キーボードコントローラＩＣ（ＥＣ／ＫＢＣ）２１１は、バス１を介して赤外線ポート（Ｉｒポート）２２２よりリモートコントローラ２３０の操作に伴うパワーオン指示のコマンドを受けると、電源コントローラ２１３と協同して、パネル開閉駆動モータ（ＰＤＭ）２４０に、パネル開放方向の駆動電源を供給し、ディスプレイユニット１２を開放駆動する。これにより、メインディスプレイ（ＬＣＤパネル）１２１を収納したディスプレイユニット１２がキーボード１１１を設けたコンピュータ本体１１上で開放駆動される。【選択図】    図２
2004159090.tif 000002
【特許請求の範囲】
【請求項１】
本体上に表示部筐体を開閉自在に設けた情報処理装置に於いて、
前記表示部筐体を前記本体上で開放若しくは閉塞駆動する駆動機構と、
前記駆動機構を駆動制御する遠隔操作手段と
を具備したことを特徴とする情報処理装置。
【請求項２】
前記遠隔操作手段の操作信号に従う特定の状態下に於いて前記表示部筐体を前記本体上で開放する前記駆動機構の制御手段を更に具備したことを特徴とする請求項１記載の情報処理装置。
【請求項３】
前記制御手段は、前記遠隔操作手段の操作でシステムを起動後、所定のタイミングで前記駆動機構を駆動制御する請求項２記載の情報処理装置。
【請求項４】
前記制御手段は、前記遠隔操作手段の操作で特定の装置が駆動された際に前記駆動機構を駆動制御する請求項２記載の情報処理装置。
【請求項５】
前記制御手段は、前記遠隔操作手段の操作に従うプログラムの起動タイミングに同期して前記駆動機構を駆動制御する請求項２記載の情報処理装置。
【請求項６】
前記遠隔操作手段の操作信号に従う特定の状態下に於いて前記表示部筐体を前記本体上で閉塞する前記駆動機構の制御手段を更に具備したことを特徴とする請求項１記載の情報処理装置。
【請求項７】
前記制御手段は、前記遠隔操作手段の操作でシステム動作を停止若しくは終了する際に、所定のタイミングで前記駆動機構を駆動制御する請求項６記載の情報処理装置。
【請求項８】
前記制御手段は、前記遠隔操作手段の操作で前記特定の装置が動作を停止若しくは終了する際に、所定のタイミングで前記駆動機構を駆動制御する請求項６記載の情報処理装置。
【請求項９】
前記遠隔操作手段は、無線ＬＡＮ、ブルートゥース、赤外線通信、若しくは電話回線により前記駆動機構を駆動制御する請求項１記載の情報処理装置。
【請求項１０】
前記表示部筐体に設けられた表示装置の動作を前記駆動機構の動作に連動して制御する表示制御手段を具備する請求項１記載の情報処理装置。
【請求項１１】
前記駆動機構は、前記表示部筐体の回動速度を外部の指示に従い可変する手段を具備する請求項１記載の情報処理装置。
【請求項１２】
情報処理装置の遠隔操作方法に於いて、
本体上で表示部筐体を開閉駆動するモータを備え、
前記モータを所定の無線信号で直接若しくは間接に駆動制御することを特徴とする情報処理装置の遠隔操作方法。
【請求項１３】
前記モータをリモートコントローラの無線信号により駆動制御する請求項１２記載の情報処理装置の遠隔操作方法。
【請求項１４】
前記モータをシステム動作に同期して駆動制御する請求項１２記載の情報処理装置の遠隔操作方法。
【請求項１５】
前記モータを特定装置の動作に同期して駆動制御する請求項１２記載の情報処理装置の遠隔操作方法。
【発明の詳細な説明】
【０００１】
【発明の属する技術分野】
本発明は、本体上に、表示部筐体を開閉自在に設けた情報処理装置および同装置の遠隔操作方法に関する。
【０００２】
【従来の技術】
本体上に、表示部筐体を開閉自在に設けた、例えば携帯型パーソナルコンピュータ等の情報処理装置に於いて、従来はユーザが装置を使用する都度、表示部筐体を開け閉めしていた。表示部筐体の開閉駆動を電動駆動する技術として、従来、装置本体に、開、閉の各操作ボタンを設けた表示機構が存在する（例えば、特許文献１参照）。
【０００３】
しかしながら、従来では、電動、手動のいずれの場合も、装置の近傍で装置本体を直接操作して開閉操作を行わなければならず、表示部筐体の開け閉めに関しては一様に人手が介在していた。
【０００４】
【特許文献１】
特開平７−２０７９２号公報（図１）
【０００５】
【発明が解決しようとする課題】
上述したように、従来では、表示部筐体の開け閉めに関して一様に人手が介在していた。
【０００６】
本発明は上記実情に鑑みなされたもので、機能の拡充並びに使い勝手のより向上を図ることのできる情報処理装置および同装置の遠隔操作方法を提供することを目的とする。
【０００７】
【課題を解決するための手段】
本発明は、本体上に、表示部筐体を開閉自在に設けた情報処理装置に於いて、前記表示部筐体を開閉駆動する駆動機構と、前記駆動機構を例えば無線ＬＡＮ、ブルートゥース、若しくは赤外線通信により遠隔駆動制御する遠隔操作手段とを具備したことを特徴とする。
【０００８】
また、本発明は、本体上に、表示部筐体を開閉自在に設けた情報処理装置に於いて、前記表示部筐体を開制御若しくは閉制御する駆動機構と、前記駆動機構を駆動制御する遠隔操作手段とを具備したことを特徴とする。
【０００９】
また、本発明は、本体上に、表示部筐体を開閉自在に設けた情報処理装置に於いて、前記表示部筐体を開制御若しくは閉制御する駆動機構と、遠隔操作手段と、前記遠隔操作手段の操作信号をもとに前記駆動機構を駆動制御する制御手段とを具備したことを特徴とする。
【００１０】
また、本発明は、情報処理装置の遠隔操作方法に於いて、本体上で表示部筐体を開閉駆動するモータを備え、前記モータを所定の無線信号で直接若しくは間接に駆動制御することを特徴とする。
【００１１】
また、本発明は、前記情報処理装置の遠隔操作方法に於いて、前記モータをリモートコントローラの無線信号により駆動制御する、若しくはシステム動作に同期して駆動制御する、若しくは特定装置の動作に同期して駆動制御することを特徴とする。
【００１２】
【発明の実施の形態】
以下、図面を参照して本発明の実施形態を説明する。
【００１３】
図１は本発明の実施形態に於ける情報処理装置の外観構成を示す斜視図であり、ここでは、ノートブック型パーソナルコンピュータを例に示している。
【００１４】
この図１に示す、本発明の実施形態によるコンピュータは、コンピュータ本体１１と、ディスプレイユニット（表示部筐体）１２とから構成されている。ディスプレイユニット１２には、ＬＣＤからなる主表示装置（メインディスプレイ）１２１が組み込まれている。このディスプレイユニット１２は、コンピュータ本体１１に対して解放位置と閉塞位置との間を回動自在に取り付けられている。コンピュータ本体１１は薄い箱形の筐体を有しており、その筐体上面には、コンピュータ本体１１の電源をオン／オフするためのパワーボタン１１４、キーボード１１１等が配置され、キーボード１１１の手前の筐体部分上面にはアームレストが形成されている。このアームレストのほぼ中央部には、タッチパネル１１２が設けられる。また、コンピュータ本体１１の内部には、図２に示すようにディスプレイユニット１２を開閉駆動するパネル開閉駆動モータ（ＰＤＭ）２４０および駆動伝達機構（Ｇ）が設けられる。
【００１５】
図２は上記図１に示したコンピュータのシステム構成を示すブロック図である。このコンピュータには、図示するように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭ／ＤＶＤドライブ２０９、ＵＳＢコントローラ２１０、ＬＡＮコントローラ２２１、赤外線ポート（Ｉｒポート）２２２、サウンドコントローラ２２３、エンベデッドコントローラ／キーボードコントローラＩＣ（ＥＣ／ＫＢＣ）２１１、および電源コントローラ２１３等が設けられている。
【００１６】
ＣＰＵ２０１は、本コンピュータの動作を制御するために設けられたもので、ハードディスクドライブ（ＨＤＤ）２０８から主メモリ２０３にロードされたオペレーティングシステム（ＯＳ）およびアプリケーションプログラム、ユーティリティプログラム等に従い各種の処理を実行する。この実施形態では、オペレーティングシステム（ＯＳ）の起動に伴い、ブリッジ２０２、２０６を介して、エンベデッドコントローラ／キーボードコントローラＩＣ（ＥＣ／ＫＢＣ）２１１との間で、パネル開閉駆動モータ（ＰＤＭ）２４０を駆動するための情報交換を行う。
【００１７】
ホストブリッジ２０２はＣＰＵ２０１のローカルバスとＰＣＩバス１との間を双方向で接続するブリッジデバイスである。グラフィクスコントローラ２０４はビデオＲＡＭ（ＶＲＡＭ）を備え、専用ディスプレイドライバの制御の下に本コンピュータのディスプレイモニタとして使用される主表示装置１２１を制御する。Ｉ／Ｏコントローラ２０７はハードディスクドライブ（ＨＤＤ）２０８、ＣＤ−ＲＯＭ／ＤＶＤドライブ２０９等を制御する。ＰＣＩ−ＩＳＡブリッジ２０６はＰＣＩバス１とＩＳＡバス２を双方向で接続するブリッジデバイスであり、ここには例えばシステムタイマ、ＤＭＡコントローラ、割り込みコントローラなどの各種システムデバイスも内蔵されている。
【００１８】
赤外線ポート（Ｉｒポート）２２２は、この実施形態では、装置の電源オン／オフ状態に関係なく常時動作可状態にあり、リモートコントローラ２３０から出力される赤外線信号を受信すると、この受信信号をシステムで扱うコマンドに変換して、ＰＣＩバス１上に出力する。
【００１９】
エンベデッドコントローラ／キーボードコントローラＩＣ（ＥＣ／ＫＢＣ）２１１は、電力管理のためのエンベデッドコントローラ（ＥＣ）、キーボード１１１を制御するためのキーボードコントローラ（ＫＢＣ）等を集積した１チップマイクロコンピュータを有して構成される。
【００２０】
このエンベデッドコントローラ／キーボードコントローラＩＣ（ＥＣ／ＫＢＣ）２１１は、装置（本コンピュータ）の電源オン／オフ状態に関係なく常時コマンドを受け付ける動作可状態にあり、電源コントローラ２１３を制御下に置いて、パワーボタン１１４の操作に応じ、装置内の各コンポーネントに対して動作用電源を供給／遮断制御する。更に、本実施形態に於いては、リモートコントローラ２３０より送出された赤外線信号を赤外線ポート（Ｉｒポート）２２２が受信し、コマンドに変換してＰＣＩバス１上に出力した際に、そのコマンドを受け付けて、コマンドに従う指示制御を行う。例えばＰＣＩバス１を介して赤外線ポート（Ｉｒポート）２２２よりパワーオン指示のコマンドを受けると、電源コントローラ２１３と協同して、装置内の各コンポーネントに動作用電源を供給制御する。この際、本実施形態に於いては、エンベデッドコントローラ／キーボードコントローラＩＣ（ＥＣ／ＫＢＣ）２１１の制御の下に、パネル開閉駆動モータ（ＰＤＭ）２４０が駆動制御される。このパネル開閉駆動モータ（ＰＤＭ）２４０の駆動により、メインディスプレイ（ＬＣＤパネル）１２１を収納したディスプレイユニット１２がコンピュータ本体１１上で開閉駆動される。
【００２１】
パネル開閉駆動モータ（ＰＤＭ）２４０は、上記エンベデッドコントローラ／キーボードコントローラＩＣ（ＥＣ／ＫＢＣ）２１１の制御の下に、電源コントローラ２１３より動作用電源を受けて、ディスプレイユニット１２をキーボード１１１を設けたコンピュータ本体１１上で開閉駆動する。この際、パネル開閉駆動モータ（ＰＤＭ）２４０の駆動トルクをディスプレイユニット１２に伝達する駆動伝達機構（Ｇ）としては、歯付ベルトを用いた減速機構、若しくは減速ギヤを内蔵した駆動モータ等、既存の駆動伝達機構が適用可能である。また、この実施形態では、ディスプレイユニット１２をキーボード１１１を設けたコンピュータ本体１１上で開閉（開放／閉塞）駆動する構成としているが、例えばディスプレイユニット１２の開放若しくは閉塞のみをモータ駆動により行う構成とすることも可能である。
【００２２】
図３は上記パネル開閉駆動モータ（ＰＤＭ）２４０の駆動に伴うディスプレイユニット１２の開閉駆動に係る処理の手順を示すフローチャートである。
【００２３】
ここで上記各図を参照して本発明の実施形態に於ける動作を説明する。
【００２４】
赤外線ポート（Ｉｒポート）２２２は、リモートコントローラ２３０から出力される赤外線信号を受信すると、この受信信号をシステムで扱うコマンドに変換して、ＰＣＩバス１上に出力する。
【００２５】
エンベデッドコントローラ／キーボードコントローラＩＣ（ＥＣ／ＫＢＣ）２１１は、リモートコントローラ２３０より送出された赤外線信号を赤外線ポート（Ｉｒポート）２２２が受信し、コマンドに変換してＰＣＩバス１上に出力した際に、そのコマンドを受け付けて、コマンドに従う指示制御を行う。
【００２６】
この際、エンベデッドコントローラ／キーボードコントローラＩＣ（ＥＣ／ＫＢＣ）２１１は、上記ＰＣＩバス１を介して赤外線ポート（Ｉｒポート）２２２よりパワーオン指示のコマンドを受けると（図３ステップＳ１０１）、電源コントローラ２１３にパワーオンを指示する（図３ステップＳ１０２  ＹＥＳ）。電源コントローラ２１３は、エンベデッドコントローラ／キーボードコントローラＩＣ（ＥＣ／ＫＢＣ）２１１からパワーオンの指示を受けると、所定の電源供給シーケンスでＣＰＵ２０１を含む各コンポーネントに動作用電源を供給する。
【００２７】
更にエンベデッドコントローラ／キーボードコントローラＩＣ（ＥＣ／ＫＢＣ）２１１は、上記電源投入に伴い、オペレーティングシステム（ＯＳ）を起動してシステムの立上げ処理を開始する（図３ステップＳ１０３）。
【００２８】
このオペレーティングシステム（ＯＳ）の起動に伴う初期化処理に於いて、エンベデッドコントローラ／キーボードコントローラＩＣ（ＥＣ／ＫＢＣ）２１１は、キーボード１１１の入力操作を可能にするキーボードドライバの初期化終了を確認すると（図３ステップＳ１０４，Ｓ１０５）、ディスプレイユニット１２が閉じた状態にあることを確認して、電源コントローラ２１３に、ディスプレイユニット１２の開放を指示する（図３ステップＳ１０６）。
【００２９】
電源コントローラ２１３は、エンベデッドコントローラ／キーボードコントローラＩＣ（ＥＣ／ＫＢＣ）２１１からディスプレイユニット１２の開放指示を受けると、その指示に従い、パネル開閉駆動モータ（ＰＤＭ）２４０に、パネル開放方向の駆動電源を供給して、ディスプレイユニット１２を開放駆動する（図３ステップＳ１０６）。これにより、メインディスプレイ（ＬＣＤパネル）１２１を収納したディスプレイユニット１２がキーボード１１１を設けたコンピュータ本体１１上で開放駆動される。
【００３０】
このようにして、リモートコントローラ２３０のパワーオン遠隔操作に伴い、メインディスプレイ（ＬＣＤパネル）１２１を収納したディスプレイユニット１２がキーボード１１１を設けたコンピュータ本体１１上で自動的に開放され、このディスプレイユニット１２の開放に伴ってキーボード１１１上のキー操作が可能となる。
【００３１】
以上は、リモートコントローラ２３０の遠隔操作に伴うシステムのパワーオン時に於けるディスプレイユニット１２の開放駆動制御であったが、リモートコントローラ２３０のパワーオフ遠隔操作に於いても上記同様にエンベデッドコントローラ／キーボードコントローラＩＣ（ＥＣ／ＫＢＣ）２１１の制御の下に、パネル開閉駆動モータ（ＰＤＭ）２４０が電源コントローラ２１３よりパネル閉塞方向の駆動電源を受けて、ディスプレイユニット１２を自動的に閉じる。
【００３２】
上記したディスプレイユニット１２の遠隔開閉制御は、リモートコントローラ２３０のパワーオン、パワーオフの操作指示だけでなく、例えば、リモートコントローラ２３０から、ＣＤ−ＲＯＭ／ＤＶＤドライブ２０９に装填されたＤＶＤの再生指示があった際、あるいはその再生終了指示があった際、あるいはＬＡＮコントローラ２２１、ＵＳＢポート等から指示があった際に於いても上記エンベデッドコントローラ／キーボードコントローラＩＣ（ＥＣ／ＫＢＣ）２１１の制御の下に、システム電源のオン／オフ状態に拘わらず、上記各指示に従う動作制御に伴って、コンピュータ本体１１上でディスプレイユニット１２を開放／閉塞制御することができる。更に、この際、上記各指示について、指示毎に、その指示内容に従う最適なタイミング、速度でディスプレイユニット１２を開放／閉塞制御することも可能である。例えば、ドライバ、アプリケーションプログラム等の立上げ処理時間に同期させて、ディスプレイユニット１２を開放／閉塞制御するとともに、ディスプレイユニット１２に収納されたメインディスプレイ１２１の表示を制御することも可能であり、この際、各立上げ処理毎に開放速度、閉塞速度を設定することも可能である。また、上記した遠隔操作手段は、赤外線通信に限らず、例えば無線ＬＡＮ、ブルートゥース、無線電話回線、有線電話回線等、他の遠隔操作手段を適用することも可能である。
【００３３】
【発明の効果】
以上詳記したように本発明によれば、本体上に表示部筐体を開閉自在に設けた情報処理装置に於いて、表示部筐体の遠隔駆動制御機能をもつことで、機能の拡充並びに使い勝手の向上を図ることができる。
【図面の簡単な説明】
【図１】本発明の実施形態に於ける情報処理装置の外観構成を示す斜視図。
【図２】上記実施形態のシステム構成を示すブロック図である。
【図３】上記実施形態に於ける処理の手順を示すフローチャート。
【符号の説明】
１…ＰＣＩバス
２…ＩＳＡバス
１１…コンピュータ本体
１２…ディスプレイユニット（表示部筐体）
１１１…キーボード
１１２…タッチパネル
１１４…パワーボタン
１２１…メインディスプレイ（ＬＣＤパネル）
２０１…ＣＰＵ
２０２…ホストブリッジ
２０３…主メモリ
２０４…グラフィクスコントローラ
２０６…ＰＣＩ−ＩＳＡブリッジ
２０７…Ｉ／Ｏコントローラ
２０８…ハードディスクドライブ（ＨＤＤ）
２０９…ＣＤ−ＲＯＭ／ＤＶＤドライブ
２１０…ＵＳＢコントローラ
２１１…エンベデッドコントローラ／キーボードコントローラＩＣ（ＥＣ／ＫＢＣ）
２１３…電源コントローラ
２２１…ＬＡＮコントローラ
２２２…赤外線ポート（Ｉｒポート）
２２３…サウンドコントローラ
２３０…リモートコントローラ
２４０…パネル開閉駆動モータ（ＰＤＭ）
【図１】
2004159090.tif 000003
【図２】
2004159090.tif 000004
【図３】
2004159090.tif 000005